(57)【要約】【目的】装着する際の作業性がよい一対のカフを提供することにある。【解決手段】左右の上腕に装着された時の上流側および下流側が決まっており、左右の上腕に装着されて、内部に備えられたゴム袋３０が膨張させられることにより上腕を圧迫する一対の上腕用カフ２０、４０において、図３に示すように、上流側が図面上側、下流側が図面下側となり、１対の幅方向短辺３２が互いに左右方向に位置し、、外周面が紙面上方向を向くように１対の上腕用カフ２０、４０を展開した状態で、左上腕用カフ２０では、ゴム袋２４が右側の幅方向短辺３２側の端部に位置し、右上腕用カフ４０では、ゴム袋２４が左側の幅方向短辺３２側の端部に位置するように、１対の上腕用カフ２０、４０を構成する。このようにすると、１対の上腕用カフ２０、４０は、患者の左右の上腕にそれぞれ装着する際の巻き付け方向が同一となるので、巻き付け作業の作業性が向上する。【選択図】                        図３
2004159968.tif 000002
【特許請求の範囲】
【請求項１】
生体に装着された時の上流側および下流側が決まっており、該生体の左右対称な部位にそれぞれ装着されて、内部に備えられたゴム袋が膨張させられることにより装着部位を圧迫する一対のカフであって、
該一対のカフを、それぞれ、上流側および下流側が同じ側となり、１対の短辺が互いに左右に位置し、外周面が同一方向を向くようにして展開した状態において、一方のカフにおける左側の短辺に対する前記ゴム袋の位置と、他方のカフにおける右側の短辺に対する前記ゴム袋の位置とが同じとなっていることを特徴とする一対のカフ。
【発明の詳細な説明】
【０００１】
【発明の属する技術分野】
本発明は、血圧を測定するためなどに際し、生体に装着するカフに関する。
【０００２】
【従来の技術】
カフは、幅方向の長さが装着部位の径に対して適切な大きさでないと、測定される血圧に誤差が生じることから、装着部位毎に異なる形状や大きさに設計されている。たとえば、上腕に装着するためのカフ、足首に装着するためのカフ、大腿部に装着するためのカフなどが知られており、それらは互いに異なる形状や大きさを有している。
【０００３】
左右の上腕、左右の足首、左右の大腿部など、生体の左右対称な部位の血圧を測定する場合、左右対称な部位では互いの形状はほぼ同じであることから、左右対称な部位の血圧測定には、２つの全く同じカフが用いられている。たとえば、特許文献１では、左右の足首においてそれぞれ血圧を測定しているが、左右の足首に装着するカフには同一のものを用いている。
【０００４】
【特許文献１】
特許第３１４０００７号公報
【０００５】
【発明が解決しようとする課題】
しかし、左右の血圧測定に同じ形状のカフを用いると、左右の巻き付け方向が互いに逆になり、統一性がないため、作業が煩雑となるという問題があった。この問題を図面に基づいてさらに詳しく説明する。図１は一般的な上腕用カフ１０の展開した状態における外周面側を示す。図１に示す上腕用カフ１０は、長手方向を形成する湾曲した一対の辺のうちの長辺が上流側となり、短辺が下流側となるように上腕に装着される。この上腕用カフ１０を、仰臥位の患者１２の左右の上腕１４、１６にそれぞれ装着しようとすると、図２に示すように、一方の上腕（図２では右上腕１４）に装着する場合には、上腕用カフ１０内の図示しないゴム袋の中心位置が上腕動脈１８の外周側に位置するように、上腕用カフ１０を右上腕１４に当てた後、上腕用カフ１０の他方の端を患者１２の胸側から背中側に巻き付けることとなるが、他方の上腕（図２では左上腕１６）に装着する場合には、上腕用カフ１０を患者１２の背中側から胸側に巻き付けることとなるので、巻き付け方向が互いに逆となり、作業が繁雑であった。
【０００６】
また、図２に示すように、右上腕１４、左上腕１６に同じ上腕用カフ１０を巻き付けると、一方の上腕（図２では左上腕１６）では、上腕用カフ１０に空気を供給する配管１９が患者１２の前方側（胸側）に位置するが、他方の上腕（図２では右上腕１４）では、配管１９が患者１２の後方側（背中側）に位置することとなるが、配管１９が患者１２の後方側に位置すると、測定中にその配管１９が邪魔になるという問題もある。
【０００７】
本発明は以上の事情を背景として為されたもので、その目的とするところは、装着する際の作業性がよい一対のカフを提供することにある。
【０００８】
【課題を解決するための手段】
上記目的を達成するための本発明は、生体に装着された時の上流側および下流側が決まっており、その生体の左右対称な部位にそれぞれ装着されて、内部に備えられたゴム袋が膨張させられることにより装着部位を圧迫する一対のカフであって、その一対のカフを、それぞれ、上流側および下流側が同じ側となり、１対の短辺が互いに左右に位置し、外周面が同一方向を向くようにして展開した状態において、一方のカフにおける左側の短辺に対する前記ゴム袋の位置と、他方のカフにおける右側の短辺に対する前記ゴム袋の位置とが同じとなっていることを特徴とする。
【０００９】
【発明の効果】
この発明によれば、１対のカフを生体の左右対称な部位にそれぞれ装着する際の巻き付け方向が同一となるので、巻き付け作業の作業性が向上する。
【００１０】
【発明の好適な実施の形態】
以下、本発明の一実施例を図面に基づいて詳細に説明する。図３は、本発明が適用された一対の上腕用カフ２０、４０を、それぞれ展開した状態での外周面を示す図であり、（ａ）は左上腕用カフ２０、（ｂ）は右上腕用カフ４０である。また、図４は、図３に示す左上腕用カフ２０の展開した状態における内周面側を示す図である。
【００１１】
まず、左上腕用カフ２０の構成について、図３、図４に基づいて説明する。左上腕用カフ２０は、布製の帯状袋２２によって全体が覆われており、その帯状袋２２の内部であって、長手方向の一方の端にゴム袋２４が収容されている。このゴム袋２４には配管２６が接続されており、その配管２６を介して図示しない空気ポンプからゴム袋２４に空気が供給される。
【００１２】
帯状袋２２は扇状に湾曲した長手状であり、長手方向を形成する湾曲した一辺のうちの長辺（図３の上側の辺）が上流側となり、短辺が下流側となるように左上腕１６に巻き付けられる。左上腕用カフ２０が左上腕１６に巻き付けられた状態では、外周面の長手方向の一方の端部に貼り付けられた面ファスナ２８と内周面の長手方向の他方の端部に貼り付けられた面ファスナ３０とが係合して、左上腕用カフ２０は左上腕１６に固定される。
【００１３】
図３（ｂ）に示す右上腕用カフ４０は、左上腕用カフ２０と同じように展開した状態において、ゴム袋２４、配管２６、面ファスナ２８、３０の位置が、左上腕用カフ２０と左右対称となっている。
【００１４】
すなわち、図３に示すように、上流側が図面上側となり下流側が図面下側となり、帯状袋２２の幅方向の辺を形成する１対の短辺３２（以下、幅方向短辺という）が左右方向に位置するように、且つ、外周面が上方（紙面に垂直な方向の上側）を向くように、左上腕用カフ２０および右上腕用カフ４０をそれぞれ展開した状態において、左上腕用カフ２０では、ゴム袋２４、配管２６、面ファスナ２８が帯状袋２２の長手方向の右端部（すなわち右側の幅方向短辺３２側の端部）に位置し、面ファスナ３０が帯状袋２２の長手方向の左端部（すなわち左側の幅方向短辺３２側の端部）に位置するのに対して、右上腕用カフ４０では、ゴム袋２４、配管２６、面ファスナ２８が帯状袋２２の長手方向の左端部（すなわち左側の幅方向短辺３２側の端部）に位置し、面ファスナ３０が帯状袋２２の長手方向の右端部（すなわち右側の幅方向短辺３２側の端部）に位置する。
【００１５】
上記のように構成された左上腕用カフ２０および右上腕用カフ４０をそれぞれ仰臥位の患者１２の左上腕１６および右上腕１４に巻き付ける場合、図５に示すように、上腕動脈１８の直上部に図５においては図示しないゴム袋２４の中心が位置するように左上腕１６または右上腕１４に左上腕用カフ２０または右上腕用カフ４０を当てた後、左上腕用カフ２０、右上腕用カフ４０ともに、カフ２０、４０の他方の端を患者１２の背中側から胸側に巻き付けることとなるので、巻き付け方向が同一となる。
【００１６】
このようにして、左上腕用カフ２０および右上腕用カフ４０を、左右の上腕１６、１４に巻き付けた状態では、配管２６は、左上腕用カフ２０および右上腕用カフ４０とも、患者１２の前方側に位置する。
【００１７】
上述の実施例に示した一対の上腕用カフ２０、４０は、患者の左右の上腕１４、１６にそれぞれ装着する際の巻き付け方向が同一であるので、巻き付け作業の作業性が向上する。
【００１８】
また、左上腕用カフ２０および右上腕用カフ４０は、左上腕１６および右上腕１４に巻き付けた状態で配管２６がともに患者１２の前方側に位置するので、測定作業中に配管２６が邪魔にならない。
【００１９】
以上、本発明の実施形態を図面に基づいて詳細に説明したが、本発明はその他の態様においても適用される。
【００２０】
たとえば、前述の実施例の上腕用カフ２０、４０は扇状に湾曲していたが、長方形状であってもよい。長方形状のカフでも配管を上流側とするか下流側とするかが決まっているために、生体に装着する際の上流側および下流側が決まっている場合には、本発明を適用すると、装着の作業性が向上する。
【００２１】
なお、本発明はその主旨を逸脱しない範囲においてその他種々の変更が加えられ得るものである。
【図面の簡単な説明】
【図１】従来の一般的な上腕用カフの展開した状態における外周面側を示す。
【図２】図１の上腕用カフを患者の左右の上腕に巻き付ける際の巻き付け方向を示す図である。
【図３】本発明が適用された一対の上腕用カフを、それぞれ展開した状態での外周面を示す図であって、（ａ）は左上腕用カフ、（ｂ）は右上腕用カフを示す。
【図４】図３に示す左上腕用カフの展開した状態における内周面側を示す図である。
【図５】図３の左上腕用カフと右上腕用カフをそれぞれ患者の左右の上腕に巻き付ける際の巻き付け方向を示す図である。
【符号の説明】
２０：左上腕用カフ
２４：ゴム袋
３２：幅方向短辺（短辺）
４０：右上腕用カフ
【図１】
2004159968.tif 000003
【図２】
2004159968.tif 000004
【図３】
2004159968.tif 000005
【図４】
2004159968.tif 000006
【図５】
2004159968.tif 000007